(57)【特許請求の範囲】
【請求項１】
媒体から情報を読み取る読取り装置と、当該情報に基づく処理を行う情報処理装置とを含むコンピュータシステムであって、
前記読取り装置は、
前記媒体の識別情報及び前記媒体内の位置情報を示すコード画像が印刷された当該媒体上での、所定の情報への参照情報を付与するための位置の指定に応じて、当該位置のコード画像から当該媒体の識別情報及び当該位置を示す位置情報を取得する情報取得手段と、
前記情報取得手段により取得された識別情報及び位置情報を前記情報処理装置に送信する送信手段と
を備え、
前記情報処理装置は、
前記送信手段から識別情報及び位置情報を受信する受信手段と、
前記受信手段により受信された識別情報及び位置情報と前記参照情報との対応関係を登録する登録手段と
を備えたことを特徴とするコンピュータシステム。
【請求項２】
前記情報取得手段は、特定波長に吸収域を持つトナーを用いて形成された前記コード画像に対し、当該特定波長の光を照射することにより前記識別情報及び前記位置情報を取得することを特徴とする請求項１記載のコンピュータシステム。
【請求項３】
前記登録手段は、前記受信手段による前記識別情報及び前記位置情報の受信に応じて、前記媒体上の当該位置情報が示す位置に付与する参照情報による参照先の候補である複数の参照先を提示し、当該複数の参照先の中から特定の参照先が選択されると、当該識別情報及び当該位置情報と、当該特定の参照先への参照情報との対応関係を登録することを特徴とする請求項１記載のコンピュータシステム。
【請求項４】
媒体から情報を読み取る読取り装置と、当該情報に基づく処理を行う情報処理装置とを含むコンピュータシステムであって、
前記読取り装置は、
前記媒体の識別情報及び前記媒体内の位置情報を示すコード画像が印刷された当該媒体上での、所定の情報への参照情報を付与するための位置の指定に応じて、当該位置のコード画像から当該媒体の識別情報及び当該位置を示す位置情報を取得する情報取得手段と、
前記情報取得手段により取得された識別情報及び位置情報を前記情報処理装置に送信する送信手段と
を備え、
前記情報処理装置は、
前記送信手段から識別情報及び位置情報を受信する受信手段と、
前記受信手段により受信された識別情報及び位置情報と、他の識別情報及び位置情報に既に対応付けられている特定の参照情報との対応関係を登録する登録手段と
を備えたことを特徴とするコンピュータシステム。
【請求項５】
媒体の識別情報及び媒体内の位置情報を示すコード画像が印刷された当該媒体上で指定された位置のコード画像から読取り装置が取得した当該媒体の識別情報及び当該指定された位置を示す位置情報を、当該読取り装置から取得する情報取得部と、
前記情報取得部により取得された識別情報及び位置情報と、所定の情報への参照情報との対応関係を登録する登録部と
を備えたことを特徴とする参照情報登録装置。
【請求項６】
媒体の識別情報及び媒体内の位置情報を示すコード画像が印刷された当該媒体上で指定された位置のコード画像から読取り装置が取得した当該媒体の識別情報及び当該指定された位置を示す位置情報を、当該読取り装置から取得する情報取得部と、
前記情報取得部により取得された識別情報及び位置情報の第１の組に既に対応付けられている、所定の情報への特定の参照情報と、前記情報取得部により取得された識別情報及び位置情報の第２の組との対応関係を登録する登録部と
を備えたことを特徴とする参照情報登録装置。
【請求項７】
コンピュータに、
媒体の識別情報及び媒体内の位置情報を示すコード画像が印刷された当該媒体上で指定された位置のコード画像から読取り装置が取得した当該媒体の識別情報及び当該指定された位置を示す位置情報を、当該読取り装置から取得する手順と、
取得した前記識別情報及び前記位置情報と、所定の情報への参照情報との対応関係を登録する手順と
を実行させるためのプログラム。
【請求項８】
コンピュータに、
媒体の識別情報及び媒体内の位置情報を示すコード画像が印刷された第１の媒体上で指定された位置のコード画像から読取り装置が取得した当該第１の媒体の第１の識別情報及び当該第１の媒体上で指定された位置を示す第１の位置情報を、当該読取り装置から取得する手順と、
取得した前記第１の識別情報及び前記第１の位置情報に既に対応付けられている、所定の情報への特定の参照情報を取得する手順と、
媒体の識別情報及び媒体内の位置情報を示すコード画像が印刷された第２の媒体上で指定された位置のコード画像から読取り装置が取得した当該第２の媒体の第２の識別情報及び当該第２の媒体上で指定された位置を示す第２の位置情報を、当該読取り装置から取得する手順と、
取得した前記第２の識別情報及び前記第２の位置情報と、前記特定の参照情報との対応関係を登録する手順と
を実行させるためのプログラム。
【発明の詳細な説明】
【技術分野】
【０００１】
本発明は、紙等の媒体から読み取った情報に基づく処理を行うコンピュータシステム等に関し、より詳しくは、媒体上の領域に参照情報を割り付け、媒体から所定の情報又は機能へのアクセスを可能とするコンピュータシステム等に関する。
【背景技術】
【０００２】
近年、細かなドットが印刷された特殊な用紙に文字や絵を描き、ユーザがこの用紙上に書いた文字等のデータをパソコンや携帯電話等に転送し、この内容の保存や、メール送信を可能とする技術が注目されている。この技術では、この特殊な用紙に例えば０.３ｍｍ程度の間隔にて小さなドットが印刷され、これが例えば所定の大きさのグリッドごとに、全て異なるパターンを描くように構成されている。これを、例えばデジタルカメラを内蔵した専用のペンを用いて読み込むことで、この特殊な用紙上に書かれた文字等の位置を特定することができ、このような文字等を電子情報として利用することが可能となる。
【０００３】
ここで、公報記載の従来技術として、かかる特殊な用紙上に定形フォームを印刷し、この定形フォーム内の項目を指定することで、その項目に関する詳細情報を参照できるようにするものが存在する(例えば、特許文献１参照)。具体的には、用紙上の座標情報と項目情報とを関連付けるテーブルと、項目情報とその詳細情報とを関連付けるテーブルとを設け、ユーザが読取装置で読み取った座標に対応する項目の詳細情報をユーザ端末に送信するというものである。
【０００４】
一方で、かかる特殊な用紙を用いずに、紙から所定の電子情報へのアクセスを可能とする技術も存在する(例えば、特許文献２参照)。具体的には、電子文書から参照情報を抽出する際、各参照情報がどの領域に設定されたものであるかの情報も取得しておき、電子文書の画像のその領域部分に参照情報等を埋め込んだ画像を印刷するというものである。尚、この技術においては、参照情報そのものを埋め込むのではなく、参照情報ごとの固有の識別子を埋め込んでおき、参照情報と識別子を関連付けたデータベースを保持する構成も提案されている。
【０００５】
また、用紙上の領域に特定機能を割り当てる技術も存在する(例えば、特許文献３参照)。具体的には、パソコンとアプリケーションを用いて、位置情報記録媒体に印刷する領域を作成し、作成した領域に特定機能を割り当てている。尚、この技術では、特定機能の割当てを領域の印刷前に行う形態だけでなく、領域の印刷後に行う形態についても述べられている。
【０００６】
【特許文献１】特開２００４−１０２７０７号公報(第６−８頁、第２、５−７図)
【特許文献２】特開２００４−２４８２４５号公報(第６−８頁、第２−７図)
【特許文献３】特開２００４−２８０５１９号公報(第６、７頁、第５図)
【発明の開示】
【発明が解決しようとする課題】
【０００７】
しかしながら、特許文献１、２では、紙等の媒体への印刷の際に媒体上の領域から電子情報への参照関係が判明している場合にのみ、紙から電子情報へのアクセスが可能となるに過ぎない。即ち、そのような参照関係に関係なく出力した媒体に対し、後から電子情報への参照を付加することはできないという問題点があった。
また、特許文献３は、印刷前に作成した領域に特定機能を割り当てるものであり、特定機能へ割り当てる領域を決めずに印刷した出力物に対し、事後的に領域を決定してその領域に特定機能の割当てを行えるものではなかった。
【０００８】
本発明は、以上のような技術的課題を解決するためになされたものであって、その目的は、電子情報への参照を付加する領域を決めずに出力した媒体に対し、後から領域を決めてその領域に電子情報への参照を付加できるようにすることにある。
【課題を解決するための手段】
【０００９】
かかる目的のもと、本発明では、媒体上で指定した領域の位置情報と所定の情報又は機能への参照情報との対応を登録するようにした。即ち、本発明の第１のコンピュータシステムは、媒体から情報を読み取る読取り装置(ペンデバイス)と、その情報に基づく処理を行う情報処理装置(端末装置)とを含み、読取り装置は、媒体内の位置情報を示すコード画像が印刷された媒体上での、所定の情報又は機能への参照情報を付与するための位置の指定に応じて、その位置のコード画像からその位置を示す位置情報を取得する情報取得手段と、この情報取得手段により取得された位置情報を情報処理装置に送信する送信手段とを備え、情報処理装置は、送信手段から位置情報を受信する受信手段と、この受信手段により受信された位置情報と参照情報との対応関係を登録する登録手段とを備えている。
【００１０】
また、本発明は、媒体上で指定した領域に対応付けられた参照情報を取得し、別の媒体上で指定した領域の位置情報とこの取得した参照情報との対応を登録するようにもしている。即ち、本発明の第２のコンピュータシステムは、媒体から情報を読み取る読取り装置(ペンデバイス)と、その情報に基づく処理を行う情報処理装置(端末装置)とを含み、読取り装置は、媒体の識別情報及び媒体内の位置情報を示すコード画像が印刷された媒体上での、所定の情報又は機能への参照情報を付与するための位置の指定に応じて、その位置のコード画像から媒体の識別情報及びその位置を示す位置情報を取得する情報取得手段と、この情報取得手段により取得された識別情報及び位置情報を情報処理装置に送信する送信手段とを備え、情報処理装置は、送信手段から識別情報及び位置情報を受信する受信手段と、この受信手段により受信された識別情報及び位置情報と参照情報との対応関係を登録する登録手段とを備えている。
【００１１】
更に、本発明は、上記第１のコンピュータシステムにおける読取り装置として捉えることもできる。その場合、本発明の第１の読取り装置は、媒体内の位置情報を示すコード画像が印刷された媒体上で指定された位置のコード画像を入力する画像入力部と、この画像入力部により入力されたコード画像から指定された位置を示す位置情報を取得する情報取得部と、この情報取得部により取得された位置情報と、所定の情報又は機能への参照情報との対応関係を登録するための処理を行う処理部とを備えている。
【００１２】
更にまた、本発明は、上記第２のコンピュータシステムにおける読取り装置として捉えることもできる。その場合、本発明の第２の読取り装置は、媒体の識別情報及び媒体内の位置情報を示すコード画像が印刷された媒体上で指定された位置のコード画像を入力する画像入力部と、この画像入力部により入力されたコード画像から媒体の識別情報及び指定された位置を示す位置情報を取得する情報取得部と、この情報取得部により取得された識別情報及び位置情報の第１の組に既に対応付けられている特定の参照情報と、情報取得部により取得された識別情報及び位置情報の第２の組との対応関係を登録するための処理を行う処理部とを備えている。
【００１３】
一方、本発明は、上記第１のコンピュータシステムにおいて、参照情報を登録する方法として捉えることもできる。その場合、本発明の第１の参照情報登録方法は、媒体内の位置情報を示すコード画像が印刷された媒体上で指定された位置のコード画像を読み取るステップと、読み取ったコード画像から指定された位置を示す位置情報を取得するステップと、取得した位置情報と、所定の情報又は機能への参照情報との対応関係を登録するステップとを含んでいる。
【００１４】
また、本発明は、上記第２のコンピュータシステムにおいて、参照情報を登録する方法として捉えることもできる。その場合、本発明の第２の参照情報登録方法は、媒体の識別情報及び媒体内の位置情報を示すコード画像が印刷された第１の媒体上で指定された位置のコード画像を読み取るステップと、読み取った第１の媒体のコード画像から、第１の媒体の第１の識別情報及び第１の媒体上で指定された位置を示す第１の位置情報を取得するステップと、取得した第１の識別情報及び第１の位置情報に既に対応付けられている特定の参照情報を取得するステップと、媒体の識別情報及び媒体内の位置情報を示すコード画像が印刷された第２の媒体上で指定された位置のコード画像を読み取るステップと、読み取った第２の媒体のコード画像から、第２の媒体の第２の識別情報及び第２の媒体上で指定された位置を示す第２の位置情報を取得するステップと、取得した第２の識別情報及び第２の位置情報と、特定の参照情報との対応関係を登録するステップとを含んでいる。
【発明の効果】
【００１５】
本発明によれば、電子情報への参照を付加する領域を決めずに出力した媒体に対し、後から領域を決めてその領域に電子情報への参照を付加することが可能となる。
【発明を実施するための最良の形態】
【００１６】
以下、添付図面を参照して、本発明を実施するための最良の形態(以下、「実施の形態」という)について詳細に説明する。
図１は、本実施の形態が適用されるシステムの構成の一例を示したものである。このシステムは、少なくとも、電子文書の印刷を指示する端末装置１００と、電子文書を蓄積する文書リポジトリ２００と、電子文書の画像とコード画像との重畳画像を印刷する画像形成装置４００とがネットワーク９００に接続されることにより構成されている。また、このシステムは、画像形成装置４００にて出力される印刷物５００と、印刷物５００に文字又は図形を記録し、その文字又は図形の軌跡を読み取るペンデバイス６００とを含む。更に、ネットワーク９００には、ペンデバイス６００から受信した軌跡と、文書リポジトリ２００から取得した電子文書とを重ね合わせて表示する端末装置７００も接続されている。
【００１７】
以下、本システムの動作の概略を説明する。
まず、端末装置１００は、文書リポジトリ２００から印刷対象の電子文書を取得する(Ａ)。そして、画像形成装置４００に対し、この電子文書の印刷を指示する(Ｂ)。このとき、端末装置１００は、印刷に関するパラメータである印刷属性を指定する。この印刷属性には、通常の印刷と同様、用紙サイズ、向き、両面印刷等が含まれる。また、コード画像に関し、コード画像を印刷すべき領域の指定等が含まれてもよい。
この電子文書の印刷指示を受けると、画像形成装置４００は、電子文書の画像にコード画像を重畳した画像を紙等の媒体に印刷し、印刷物５００を出力する(Ｃ)。この場合、コード画像は、識別情報に対応する識別コードと、位置情報に対応する位置コードとを画像化したものである。或いは、その他の情報である付加情報を含めて画像化したものであってもよい。尚、電子文書の画像とコード画像とを重畳する処理は、端末装置１００で行ってもよいし、画像形成装置４００で行ってもよい。
【００１８】
ここで、識別情報としては、個々の媒体を一意に識別する情報を採用することができる。例えば、画像形成装置４００の識別番号と画像形成装置４００における媒体の印刷の一連番号又は印刷の日時とを組み合わせて得られる情報であってもよいし、所定のサーバにて重複がないように一元管理されている情報であってもよい。或いは、個々の媒体を一意に識別する情報ではなく、媒体に印刷された電子文書を一意に識別する情報を、識別情報として採用してもよい。
また、位置情報とは、個々の媒体上の座標位置(Ｘ座標、Ｙ座標)を特定するための情報である。例えば、媒体の左上点を原点とし、媒体の右方向にＸ軸をとり、下方向にＹ軸をとることにより設定した座標系で、座標を表すことが考えられる。
更に、付加情報としては、印刷指示を行ったユーザの識別情報や、コピー禁止であるかどうかの情報等がある。
【００１９】
また、画像形成装置４００は、コード画像を、赤外光の吸収率が一定の基準以上である不可視のトナーを用いて不可視画像として形成する。一方、電子文書の文書画像は、赤外光の吸収率が一定の基準以下である可視のトナーを用いて可視画像として形成することが好ましい。尚、コード画像の形成に用いるトナーと文書画像の形成に用いるトナーとで、赤外光の吸収率に差を設けたのは、赤外光を照射してコード画像を読み取る際の読取り精度を確保するためである。尚、本明細書では、赤外光照射によるコード画像の読取りを前提として説明するが、紫外光によりコード画像を読み取るものであってもよい。
【００２０】
その後、ユーザが、ペンデバイス６００を用いて印刷物５００に文字又は図形を筆記したとする(Ｄ)。これにより、ペンデバイス６００は、印刷物５００に対し赤外光を照射し、その反射光を検出することでコード画像を入力する。そして、コード画像から情報を取得又は生成し、有線通信又は無線通信を介して、その情報を端末装置７００に送信する(Ｅ)。尚、ここで送信される情報には、例えば、印刷物５００の識別情報や、印刷物５００に対して筆記された文字又は図形の位置情報がある。或いは、位置情報は、一定の時間における文字又は図形の位置情報を連結させた軌跡情報として送信するようにしてもよい。
その後、端末装置７００は、ペンデバイス６００から受信した識別情報に基づいて、印刷物５００に印刷された文書画像の元となる電子文書を文書リポジトリ２００から取得する(Ｆ)。そして、文書リポジトリ２００から取得した電子文書と、ペンデバイス６００から取得した情報とを重ね合わせて表示する。
【００２１】
ところで、ペンデバイス６００から受信した識別情報が、個々の媒体を一意に識別する情報である場合、この識別情報に基づいて電子文書を取得できるようにするためには、識別情報と電子文書との対応関係を管理しておく必要がある。図１では、この対応関係をどこで管理するかについては明示しなかったが、端末装置７００からアクセス可能であれば、どこで管理するようにしてもよい。例えば、文書リポジトリ２００であってもよいし、画像形成装置４００であってもよい。尚、ペンデバイス６００から受信した識別情報が、媒体に印刷された電子文書を一意に識別する情報である場合は、このような対応関係を参照することなく、電子文書を取得することができる。
また、ペンデバイス６００から軌跡情報を受信した場合、この軌跡情報は、印刷物５００上での筆記位置に対応する電子文書上の位置に重ね合わせて表示される。これは、ペンデバイス６００で読み取ったコード画像に筆記位置の情報が含まれるので、その情報から電子文書の表示イメージにおける対応する位置が特定できるからである。
【００２２】
以上、本実施の形態が適用されるシステムについて述べてきたが、このような構成はあくまで一例に過ぎない。例えば、電子文書の画像とコード画像とを重畳する処理を、端末装置１００から画像形成装置４００への印刷指示を中継するサーバコンピュータ等で行うようにしてもよい。また、文書リポジトリ２００は、端末装置１００内にあってもよい。更に、端末装置１００と端末装置７００とは、同一の端末装置であってもよい。
尚、本明細書では、「電子文書」の文言を用いるが、これは、テキストを含む「文書」を電子化したデータのみを意味するものではない。例えば、絵、写真、図形等の画像データ(ラスタデータかベクターデータかによらない)、その他の印刷可能な電子データも含めて「電子文書」としている。
【００２３】
次に、ここで印刷されるコード画像について説明する。
図２(ａ)〜(ｃ)は、上述したコード画像を説明するための図である。図２(ａ)は、不可視画像として形成される２次元コード配列を模式的に示している。また、図２(ｂ)は、図２(ａ)における２次元コード配列の１単位である２次元コードを拡大して示した図である。更に、図２(ｃ)は、バックスラッシュ「＼」とスラッシュ「／」のパターン画像を説明するための図である。
【００２４】
本実施の形態において、図２(ａ)〜(ｃ)に示すコード画像は、可視光領域(４００ｎｍ〜７００ｎｍ)における最大吸収率が例えば７％以下であり、近赤外領域(８００ｎｍ〜１０００ｎｍ)における吸収率が例えば３０％以上の不可視トナーによって形成される。また、この不可視トナーは、画像の機械読取りのために必要な近赤外光吸収能力を高めるために、平均分散径は１００ｎｍ〜６００ｎｍの範囲のものが採用される。ここで、「可視」及び「不可視」は、目視により認識できるかどうかとは関係しない。印刷された媒体に形成された画像が可視光領域における特定の波長の吸収に起因する発色性の有無により認識できるかどうかで「可視」と「不可視」とを区別している。また、可視光領域における特定の波長の吸収に起因する発色性が若干あるが、人間の目で認識し難いものも「不可視」に含める。
【００２５】
また、このコード画像は、赤外光照射による機械読取りと復号化処理とが長期に亘って安定して可能で、且つ、情報が高密度に記録できる不可視画像で形成される。更に、画像を出力する媒体表面の可視画像が設けられた領域とは関係なく、任意の領域に設けることが可能な不可視画像であることが好ましい。更に、例えば、目視した際に光沢差によって認識できる不可視画像であることが更に好ましい。また、例えば、印刷される媒体の大きさに合わせて媒体面(紙面)の全面に不可視画像が形成される。但し、「全面」とは、用紙の四隅を全て含む意味ではない。電子写真方式等の装置では、通常、紙面の周囲は印刷できない範囲である場合が多いことから、かかる範囲には不可視画像を印刷する必要はない。
【００２６】
図２(ｂ)に示す２次元コードは、媒体上の座標位置を示す位置コードが格納される領域と、媒体等を一意に特定するための識別コードが格納される領域とを含んでいる。また、同期コードが格納される領域も含んでいる。そして、図２(ａ)に示すように、この２次元コードが媒体面に複数、格子状に配置される。即ち、媒体面に、図２(ｂ)に示すような２次元コードが複数個、配置され、その各々が、位置コード、識別コード、及び同期コードを備えている。そして、複数の位置コードの領域には、それぞれ配置される場所により異なる位置情報が格納されている。一方、複数の識別コードの領域には、配置される場所によらず同じ識別情報が格納されている。
【００２７】
図２(ｂ)において、位置コードは、６ビット×６ビットの矩形領域内に配置されている。各ビット値は、回転角度が異なる複数の微小ラインビットマップで形成され、図２(ｃ)に示されるパターン画像(パターン０とパターン１)で、ビット値０とビット値１を表現している。より具体的には、相互に異なる傾きを有するバックスラッシュ「＼」及びスラッシュ「／」を用いてビット値０とビット値１とを表現している。パターン画像は６００ｄｐｉで８×８画素の大きさで構成されており、左上がりの斜線のパターン画像(パターン０)がビット値０を、右上がりの斜線のパターン画像(パターン１)がビット値１を表現する。従って、１つのパターン画像で１ビットの情報(０又は１)を表現できる。このような２種類の傾きからなる微小ラインビットマップを用いることで、可視画像に与えるノイズが極めて小さく、且つ、大量の情報を高密度にデジタル化して埋め込むことが可能な２次元コードを提供することが可能となる。
【００２８】
即ち、図２(ｂ)に示した位置コード領域には合計３６ビットの位置情報が格納されている。この３６ビットのうち、１８ビットをＸ座標の符号化に、１８ビットをＹ座標の符号化に使用することができる。各１８ビットを全て位置の符号化に使用すると、２１８通り(約２６万通り)の位置を符号化できる。各パターン画像が図２(ｃ)に示したように８画素×８画素(６００ｄｐｉ)で構成されている場合には、６００ｄｐｉの１ドットは０.０４２３ｍｍであることから、図２(ｂ)の２次元コード(同期コードを含む)の大きさは、縦横共に３ｍｍ程度(８画素×９ビット×０.０４２３ｍｍ)となる。３ｍｍ間隔で２６万通りの位置を符号化した場合、約７８６ｍの長さを符号化できる。このように１８ビット全てを位置の符号化に使用してもよいし、或いは、パターン画像の検出誤りが発生するような場合には、誤り検出や誤り訂正のための冗長ビットを含めてもよい。
また、識別コードは、２ビット×８ビット及び６ビット×２ビットの矩形領域に配置されており、合計２８ビットの識別情報を格納できる。識別情報として２８ビットを使用した場合は、２２８通り(約２億７千万通り)の識別情報を表現できる。識別コードも位置コードと同様に、２８ビットの中に誤り検出や誤り訂正のための冗長ビットを含めることができる。
【００２９】
尚、図２(ｃ)に示す例では、２つのパターン画像は互いに角度が９０度異なるが、角度差を４５度とすれば４種類のパターン画像を構成できる。このように構成した場合は、１つのパターン画像で２ビットの情報(０〜３)を表現できる。即ち、パターン画像の角度種類を増やすことで、表現できるビット数を増加することができる。
また、図２(ｃ)に示す例では、パターン画像を使用してビット値の符号化を説明しているが、パターン画像以外を採用してもよい。例えば、ドットのＯＮ/ＯＦＦや、ドットの位置を基準位置からずらす方向により符号化することも可能である。
【００３０】
ところで、本実施の形態では、このようなコード画像が印刷された印刷物５００に対し、後から参照情報を付与する。ここで、参照情報としては、特定の情報へリンクするための情報や、特定のアプリケーションプログラム(機能)を呼び出すための情報が例示される。また、本実施の形態では、ある印刷物５００に付与された参照情報を別の印刷物５００に渡すことも可能にする。
以下、前者を第１の実施の形態とし、後者を第２の実施の形態として、詳細に説明する。
【００３１】
［第１の実施の形態］
前述のように、この第１の実施の形態は、印刷物５００の特定の領域を指定することで所定の情報又は機能へアクセスすることを事後的に可能にするものである。
このように事後的に参照情報を付与する必要がある代表的な例として、ここでは、病院で用いられるカルテ用紙５１０を考える。
図３は、カルテ用紙５１０に形成されるカルテフォームの例を示した図である。図１の画像形成装置４００にて、可視トナーを用いて、カルテフォームの罫線等のレイアウト情報がカルテ用紙５１０に印字される。また、これと同時に、不可視トナーを用いて、カルテ１枚１枚を一意に特定可能な識別情報(カルテＩＤ)とカルテ用紙５１０上の位置情報(座標情報)とを示すコード画像がカルテ用紙５１０の全面に印字される。
【００３２】
図示するように、カルテ用紙５１０のカルテフォームには、患者氏名、生年月日、患者顔写真、既往症やアレルギー情報等の患者基本情報５１１と、例えば２号様式のカルテフォームに対応するフリー手書き記入欄５１２とが設けられている。また、これらのエリアの他に、記入種別選択欄５１３、過去履歴参照指示欄５１４、システム連携機能欄５１５が設けられている。更に、不可視トナーを用いた透かし画像５１６が形成されている。
前述したように、カルテ用紙５１０の全面には、識別情報(カルテＩＤ)と紙上の位置情報とがコード画像として印字されている。そして、コード画像を読み取り可能なペンデバイス６００を用いてカルテ用紙５１０に手書き入力がなされると、それと同時に、カルテＩＤと位置情報とがペンデバイス６００によって検出される。これによって、カルテ用紙５１０のどの位置に手書きがなされたかを電子情報として取得することができる。尚、不可視トナーを用いた透かし画像５１６を印字することで、印字されたカルテ用紙５１０が、不可視トナーで識別情報(カルテＩＤ等)と位置情報とを含むコード画像が印字された用紙であることを、透かし画像５１６の用紙との光沢差で目視確認することが可能となる。
【００３３】
医師は、患者の診察に従い、カルテ用紙５１０のカルテフォームに形成されたフリー手書き記入欄５１２にペンデバイス６００を用いて診療録を記入する。ペンデバイス６００には、後述するように、不可視トナーで印字されたコード画像を赤外光を用いて読み取る読取手段(赤外照射機能や画像入力機能等)が設けられている。従って、読み取ったコード画像をデコードすることで、カルテＩＤとカルテ用紙５１０上のペンデバイス６００の移動軌跡を検出し、どのカルテにどのような手書き記入があったか、ペンデバイス６００がカルテ用紙５１０上のどこを指示しているかを認識することが可能である。
【００３４】
このカルテ用紙５１０のフリー手書き記入欄５１２に記入される内容としては、図３の記入種別選択欄５１３に示すようなＳ、Ｏ、Ａ、Ｐに対応する内容がある。例えば、主訴(Ｓ: subjective)を指定して患者の自覚症状が記入される。また、客観所見(Ｏ:objective)を指定して医師による診察所見や検査所見が記入される。更に、診断(Ａ:assessment)を指定して、医師による診断、鑑別診断、治療法選択と根拠、治療に対する評価などが記入される。また更に、計画(Ｐ:plan)を指定して治療計画等が記入される。
【００３５】
ここで、医師がこのカルテ用紙５１０のフリー手書き記入欄５１２に診療録を記入する際、特定の領域をペンデバイス６００で指示することで、診断に必要な情報を参照できるようにしておくことができれば便利である。例えば、図３では、フリー手書き記入欄５１２にレントゲン撮影を行った旨の記述があるが、その近くの特定の領域をペンデバイス６００で指示することでそのレントゲンの画像データにアクセスできれば便利である。
そこで、本実施の形態では、ペンデバイス６００を「参照情報登録モード」に設定して参照指示領域５１７を手書きすることにより、ペンデバイス６００でこの参照指示領域５１７を指示するだけで所望の情報又は機能にアクセスできるようにする。
【００３６】
以下、カルテ用紙５１０への参照情報の付与をペンデバイス６００と端末装置７００とが協働することで実現するものとして、これらの構成及び動作について説明する。
まず、ペンデバイス６００について説明する。
図４は、ペンデバイス６００の構成を示した図である。
このペンデバイス６００は、文書画像とコード画像との重畳画像が印刷された印刷物５００に通常のペンと同様の操作により文字や図形を記録する筆記部６１と、筆記部６１の動きを監視しペンデバイス６００が用紙に押し付けられていることを検出する筆圧検出部６２とを備えている。また、ペンデバイス６００の全体の電子的な動作を制御する制御部６３と、用紙上のコード画像を読み取るために赤外光を照射する赤外照射部６４と、反射される赤外光を受光することによりコード画像を認識して入力する画像入力部６５とを備えている。
【００３７】
ここで、制御部６３について更に詳しく説明する。
制御部６３は、情報取得部６３１と、軌跡算出部６３２と、情報記憶部６３３とを備えている。情報取得部６３１は、画像入力部６５から入力された画像を解析して識別情報及び位置情報を取得する部分である。軌跡算出部６３２は、情報取得部６３１により取得した位置情報に対し、筆記部６１のペン先の座標と画像入力部６５が捕捉した画像の座標とのずれを補正してペン先の軌跡を算出する部分である。情報記憶部６３３は、情報取得部６３１が取得した識別情報や軌跡算出部６３２が算出した軌跡情報を記憶する部分である。尚、図示しないが、制御部６３は、これらの記憶された情報を参照情報登録指示に含めて送信する機能も有しており、この意味で制御部６３を送信手段として捉えることもできる。また、この送信機能や、参照情報を自身のメモリに記憶する機能を含め、参照情報を登録するための処理を行う処理手段として捉えることもできる。
【００３８】
また、ペンデバイス６００には、スイッチ６６も設けられている。本実施の形態において、このスイッチ６６は、２つのモードを設定するために用いられる。１つは、参照指示領域５１７を指示することにより参照情報を取得する「参照情報取得モード」である。もう１つは、現在筆記している文字又は図形を参照指示領域５１７とし、この領域に対する参照情報の割当てを登録する「参照情報登録モード」である。例えば、スイッチ６６を押下しない状態を「参照情報取得モード」とし、スイッチ６６を押下した状態を「参照情報登録モード」とすることが考えられる。
【００３９】
図５は、ペンデバイス６００の主に制御部６３にて実行される処理を示したフローチャートである。尚、ここでの筆記は、スイッチ６６を操作することにより「参照情報登録モード」が設定された状態でカルテ用紙５１０に対して行われるものとする。
まず、ペンデバイス６００を用いて、カルテ用紙５１０に文字や図形の記録が行われると、制御部６３は、カルテ用紙５１０に対してペンによる記録が行われていることの検出信号を筆圧検出部６２から取得する(ステップ６０１)。この検出信号を検出すると、制御部６３は、赤外照射部６４に対し、赤外光を用紙に照射するように指示する(ステップ６０２)。赤外照射部６４によって用紙に照射される赤外光は不可視画像にて吸収され、それ以外の部分では反射される。画像入力部６５ではこの反射された赤外光を受光し、赤外光が反射されなかった部分をコード画像として認識する。制御部６３は、画像入力部６５からこのコード画像を入力(スキャン)する(ステップ６０３)。
【００４０】
その後、制御部６３の情報取得部６３１では、ステップ６０４〜ステップ６０７に示す情報検出処理が実行される。まず、情報取得部６３１は、入力されたスキャン画像を整形する(ステップ６０４)。このスキャン画像の整形は、傾き補正やノイズ除去等である。そして、整形されたスキャン画像からスラッシュ「／」やバックスラッシュ「＼」等のビットパターン(斜線パターン)を検出する(ステップ６０５)。また一方で、整形されたスキャン画像から、２次元コード位置決め用のコードである同期コードを検出し、情報取得部６３１は、この同期コード位置を参照して２次元コードを検出する(ステップ６０６)。また、２次元コードからＥＣＣ(Error Correcting Code：誤り訂正符号)等の情報を取り出し復号し、復号した情報を元の情報に復元することにより、識別情報(カルテＩＤ)、位置情報を取り出す(ステップ６０７)。
【００４１】
次に、制御部６３では、情報取得部６３１がカルテＩＤをそのまま情報記憶部６３３に記憶し、軌跡算出部６３２が位置情報を軌跡情報に変換した上で情報記憶部６３３に記憶する(ステップ６０８)。尚、ここでは、ペンデバイス６００で筆記される参照指示領域５１７は矩形であることを前提とし、軌跡情報は、矩形領域の左上点の座標と右下点の座標との組み合わせ(以下、「矩形情報」という)で表すものとする。但し、手書きした領域は厳密には矩形とはならないので、手書きした領域を正確な矩形に近似する。
そして、本実施の形態では、「参照情報登録モード」が設定されているので、ペンデバイス６００は、端末装置７００に対し、カルテＩＤ及び矩形情報に対する参照情報登録指示を送信する(ステップ６０９)。尚、スイッチ６６により「参照情報取得モード」が設定されていたとすると、ペンデバイス６００による指示位置が参照指示領域５１７内であれば、その指示位置に対応する参照情報を取得し、これを辿って所定の情報又は機能へのアクセスがなされる。
【００４２】
次に、この参照情報登録指示を受けて処理を行う端末装置７００について説明する。
図６は、端末装置７００の機能構成を示した図である。
図示するように、端末装置７００は、受信部７１と、制御部７２と、入出力部７３と、記憶部７４と、送信部７５とを備えている。
受信部７１は、ペンデバイス６００から参照情報登録指示を受信する。制御部７２は、受信部７１からの参照情報登録指示に応じて各機能部を制御する。入出力部７３は、端末装置７００のディスプレイに情報を出力したり、キーボード等から入力された情報を受け取ったりする。記憶部７４は、ユーザが媒体上の特定の領域に付与する参照情報による参照先の候補を記憶しており、例えば、磁気ディスクによって実現されている。送信部７５は、参照情報の登録要求を図示しないサーバコンピュータに対して行う。
尚、これらの機能は、ソフトウェアとハードウェア資源とが協働することにより実現される。即ち、端末装置７００の図示しないＣＰＵが、受信部７１、制御部７２、入出力部７３、送信部７５の各機能を実現するプログラムを、例えばハードディスク等の外部記憶装置からメインメモリに読み込んで、端末装置１００内にこれらの各機能を実現する。
【００４３】
図７は、端末装置７００にて実行される処理を示したフローチャートである。
まず、端末装置７００では、受信部７１が、ペンデバイス６００からカルテＩＤ及び矩形情報に対する参照情報登録指示を受信し、その旨の情報が制御部７２に伝えられる(ステップ７０１)。
これにより、制御部７２は、入出力部７３に対し、参照情報による参照先を検索するための検索条件入力画面の表示を指示し、入出力部７３が、この指示に従い、検索条件入力画面を表示する(ステップ７０２)。この検索条件入力画面としては、カルテＩＤに紐付けられた検査データを、期間で絞り込むための画面が考えられる。
【００４４】
そこで、医師は、この検索条件入力画面に検索条件を入力する。これにより、入出力部７３は、検索条件を受け付け、制御部７２が、記憶部７４からこの検索条件を満足する参照先を検索し、この参照先を渡された入出力部７３は、参照先の一覧を表示する(ステップ７０３)。ここで表示される参照先としては、カルテＩＤに紐付けられた検査データ(レントゲンの画像データや、ＭＲＩの画像データ等)が想定できる。
これに応じ、医師が参照先を選択すると、入出力部７３がその選択情報を受け付け(ステップ７０４)、送信部７５が、カルテＩＤと矩形情報と参照情報との対応を参照情報テーブルに登録するよう、図示しないサーバコンピュータに対して要求する(ステップ７０５)。
【００４５】
図８は、ここで登録される参照情報テーブルの内容の一例を示す図である。
ここで、矩形情報は、上述したように、矩形領域の左上点の座標と右下点の座標で表している。例えば、識別情報「０００００００１」から取得された１つ目の参照情報の存在位置(付加位置)は、左上点の座標が(ｘ１１，ｙ１１)で、右下点の座標が(ｘ１２，ｙ１２)の矩形領域であることが分かる。
【００４６】
尚、本実施の形態では、媒体に印刷されるコード画像に媒体の識別情報も含める構成を例示したが、印刷媒体に事後的に参照情報を付与するという目的が達成できれば、識別情報は必ずしも必要ではない。
以上述べたように、本実施の形態では、印刷後の媒体上で領域を指定し、その媒体の識別情報と、領域の位置情報と、所定の情報又は機能への参照情報との対応を登録するようにした。これにより、既に印刷した紙文書に対し電子情報への参照情報を付与することが可能となった。
【００４７】
［第２の実施の形態］
前述したように、この第２の実施の形態は、ある印刷物５００の特定の領域を指定することで所定の情報又は機能への参照情報を取得し、その後、別の印刷物５００の特定の領域を指定することで、この領域に対しても先に取得した参照情報を付与することを可能にするものである。即ち、印刷物５００から印刷物５００への参照情報の受渡しを可能とするものである。
このように参照情報を媒体間で受け渡す必要がある代表的な例として、読影会がある。読影会とは、例えば、１人の医師が担当する患者についてのレントゲン写真等に対し、複数の医師が検討を加えるための会議である。読影会では、全ての医師が同じ１枚のレントゲン写真等を見て検討するのが普通である。ところが、このような方法では、各医師がレントゲン写真等を十分に見ることができないという不都合がある。
そこで、第１の実施の形態のような手法によりレントゲン写真等への参照情報が付与されたカルテ用紙５１０から、そのカルテ用紙５１０を持参した医師以外の医師が所持する読影会用リスト５２０ａ、５２０ｂに対し、同じレントゲン写真等への参照情報を受け渡し、各医師が例えば各自のＰＣ上で同じレントゲン写真等を閲覧できるようになれば便利である。
【００４８】
図９を参照しながら、読影会に持ち寄られる各種用紙について説明する。
カルテ用紙５１０は、読影会で検討する対象のレントゲン写真等への参照情報が付与されたものである。尚、カルテ用紙５１０のカルテフォームにおける各記入欄等については、第１の実施の形態で説明したので、図中では記号を省略し、その説明も割愛する。図では、本実施の形態に直接関係する参照指示領域５１７のみを示している。
また、読影会用リスト５２０ａ、５２０ｂは、読影会でレントゲン写真等が検討対象となっている患者のリストである。カルテ用紙５１０を持参した医師以外の医師が使用する読影会用リスト５２０ａ、５２０ｂに対し、参照指示領域５２７ａ、５２７ｂを作成し、これらの領域に参照指示領域５１７から参照情報が渡される。
【００４９】
以下、カルテ用紙５１０から読影会用リスト５２０ａ、５２０ｂへの参照情報の受渡しをペンデバイス６００と端末装置７００とが協働することで実現するものとして、これらの構成及び動作について説明する。尚、以下では、読影会用リスト５２０ａ、５２０ｂを読影会用リスト５２０で、参照指示領域５２７ａ、５２７ｂを参照指示領域５２７で、それぞれ代表させて説明する。
まず、ペンデバイス６００について説明する。
ペンデバイス６００の構成については、第１の実施の形態で述べたのとほぼ同様である。但し、本実施の形態において、スイッチ６６は、３つのモードを設定するために用いられる。そのうち２つは、第１の実施の形態で述べた「参照情報取得モード」及び「参照情報登録モード」である。そして、もう１つは、参照指示領域５１７に対応付けられた参照情報を他の媒体に受け渡すために保持する「参照情報保持モード」である。尚、１つのスイッチ６６でこれら３つのモードを実現するためには、例えば、スイッチ６６を押下しない状態を「参照情報取得モード」とし、スイッチ６６を第１のレベルまで押下した状態を「参照情報保持モード」とし、スイッチ６６を第２のレベルまで押下した状態を「参照情報登録モード」とすることが考えられる。或いは、１つのスイッチ６６ではなく、複数のスイッチでこのようなモードの切替えを実現するようにしてもよい。
【００５０】
図１０は、ペンデバイス６００の主に制御部６３にて実行される処理を示したフローチャートである。尚、ここでの筆記は、スイッチ６６を操作することにより「参照情報保持モード」が設定された状態でカルテ用紙５１０に対して行われ、これに引き続き、スイッチ６６を操作することにより「参照情報登録モード」が設定された状態で読影会用リスト５２０に対して行われるものとする。
まず、ペンデバイス６００を用いて、カルテ用紙５１０に文字や図形の記録が行われると、制御部６３は、カルテ用紙５１０に対してペンによる記録が行われていることの検出信号を筆圧検出部６２から取得する(ステップ６１１)。この検出信号を検出すると、制御部６３は、赤外照射部６４に対し、赤外光を用紙に照射するように指示する(ステップ６１２)。赤外照射部６４によって用紙に照射される赤外光は不可視画像にて吸収され、それ以外の部分では反射される。画像入力部６５ではこの反射された赤外光を受光し、赤外光が反射されなかった部分をコード画像として認識する。制御部６３は、画像入力部６５からこのコード画像を入力(スキャン)する(ステップ６１３)。
【００５１】
その後、制御部６３の情報取得部６３１では、ステップ６１４〜ステップ６１７に示す情報検出処理が実行される。まず、情報取得部６３１は、入力されたスキャン画像を整形する(ステップ６１４)。このスキャン画像の整形は、傾き補正やノイズ除去等である。そして、整形されたスキャン画像からスラッシュ「／」やバックスラッシュ「＼」等のビットパターン(斜線パターン)を検出する(ステップ６１５)。また一方で、整形されたスキャン画像から、２次元コード位置決め用のコードである同期コードを検出し、情報取得部６３１は、この同期コード位置を参照して２次元コードを検出する(ステップ６１６)。また、２次元コードからＥＣＣ(Error Correcting Code：誤り訂正符号)等の情報を取り出し復号し、復号した情報を元の情報に復元することにより、識別情報(カルテＩＤ)、位置情報を取り出す(ステップ６１７)。
【００５２】
次に、制御部６３では、情報取得部６３１がカルテＩＤをそのまま情報記憶部６３３に記憶し、軌跡算出部６３２が位置情報を軌跡情報に変換した上で情報記憶部６３３に記憶される(ステップ６１８)。尚、ここでは、ペンデバイス６００で筆記される参照指示領域５１７は矩形であることを前提とし、軌跡情報は、矩形領域の左上点の座標と右下点の座標との組み合わせ(矩形情報)で表すものとする。但し、手書きした領域は厳密には矩形とはならないので、手書きした領域を正確な矩形に近似する。
そして、制御部７２が、ペンデバイス６００に設定されているモードを判定する(ステップ６１９)。この場合、「参照情報保持モード」が設定されているので、ペンデバイス６００は、端末装置７００に対し、カルテＩＤ及び矩形情報に対応付けられている参照情報の送信を要求し、参照情報が送信されるとそれを取得して保持する(ステップ６２０)。
【００５３】
また、この後、ペンデバイス６００を用いて、読影会用リスト５２０に文字や図形の記録が行われると、ステップ６１１〜６１８と同様の処理を行い、読影会用リスト５２０上に印刷されたコード画像から取得された識別情報(リストＩＤ)及び矩形情報が情報記憶部６３３に記憶される。
そして、制御部７２が、ペンデバイス６００に設定されているモードを判定する(ステップ６１９)。この場合、「参照情報登録モード」が設定されているので、ペンデバイス６００は、端末装置７００に対し、リストＩＤ及び矩形情報に対する参照情報登録指示を送信する(ステップ６２１)。
【００５４】
次に、これらの参照情報送信要求や参照情報登録指示を受けて処理を行う端末装置７００について説明する。
端末装置７００の構成については、第１の実施の形態で述べたのとほぼ同様である。但し、受信部７１は、第１の実施の形態で述べた機能に加え、ペンデバイス６００から参照情報送信要求を受信する機能、図示しないサーバコンピュータから参照情報を受信する機能を有する。送信部７５は、第１の実施の形態で述べた機能に加え、図示しないサーバコンピュータに対し、参照情報送信要求を送信する機能を有する。
【００５５】
図１１は、端末装置７００にて実行される処理を示したフローチャートである。
まず、端末装置７００では、受信部７１が、ペンデバイス６００からカルテＩＤ及び矩形情報に対応する参照情報の送信要求を受信し、その旨の情報が制御部７２に伝えられる(ステップ７１１)。
これにより、制御部７２は、カルテＩＤ及び矩形情報を送信部７５に渡し、送信部７５が、図示しないサーバコンピュータに対し、参照情報の送信を要求する(ステップ７１２)。これに応じて、サーバコンピュータが参照情報を端末装置７００に対し送信すると、端末装置７００では、受信部７１が、この参照情報を受信する(ステップ７１３)。そして、ペンデバイス６００に対し、この参照情報を送信する(ステップ７１４)。
【００５６】
その後、既に述べたようにペンデバイス６００を用いて参照情報の受渡し先となる読影会用リスト５２０上で領域指定がなされると、端末装置７００は、ステップ７１４で送信した参照情報と、受渡し先の読影会用リスト５２０の識別情報(リストＩＤ)及び矩形情報を受信する(ステップ７１５)。そして、これらの情報を対応付けて、サーバコンピュータの参照情報テーブルに登録する(ステップ７１６)。
【００５７】
図１２は、ここで登録される参照情報テーブルの内容の一例を示す図である。
ここで、矩形情報は、上述したように、矩形領域の左上点の座標と右下点の座標で表している。例えば、識別情報「０００００００１」から取得された１つ目の参照情報の存在位置(付加位置)は、左上点の座標が(ｘ１１，ｙ１１)で、右下点の座標が(ｘ１２，ｙ１２)の矩形領域であることが分かる。
また、この図では、識別情報「０００００００１」〜「０００００００３」がカルテ用紙５１０を想定しており、識別情報「０００００００８」、「０００００００９」が読影会用リスト５２０を想定している。そして、各カルテ用紙５１０の１つ目の参照情報を、各読影会用リスト５２０に受け渡した場合について示している。
【００５８】
尚、本実施の形態では、まず、参照情報の受渡し元の媒体上で領域を指定し、その後、参照情報の受渡し先の媒体上で領域を指定する、という構成を例示した。しかしながら、この順序に特別な意味があるわけではなく、受渡し元と受渡し先とが特定できれば、その操作の順序は如何なるものであってもよい。
また、本実施の形態では、カルテ用紙５１０に対応付けられた参照情報を一旦ペンデバイス６００に送信し、再度ペンデバイス６００から受信し、読影会用リスト５２０に対する参照情報として登録するようにした。しかしながら、この参照情報は、端末装置７００が保持しておき、ペンデバイス６００から参照情報登録指示があった場合に読み出して登録するようにしてもよい。
以上述べたように、本実施の形態では、ある媒体に付与された参照情報を別の媒体に受け渡すようにした。これにより、複数の媒体間で電子情報への参照情報を容易に共有することができるようになった。
【００５９】
以上、本発明の第１及び第２の実施の形態を述べたが、本発明はこのような実施の形態に限定されるものではない。
例えば、第１及び第２の実施の形態では、参照指示領域としていずれも略矩形領域を想定していたが、略矩形領域以外、例えば、楕円、星型等の他の図形や、任意の文字等を参照指示領域として設定してもよい。その場合、各参照指示領域の形状に応じた位置情報により領域の位置を特定するようにすれば、同様に媒体への参照情報の付与は可能である。
更に、第１及び第２の実施の形態では、参照情報を登録するための参照情報テーブルを端末装置７００とは別のサーバコンピュータに設けることとしたが、端末装置７００内に設けてもよいし、ペンデバイス６００内に設けてもよい。
【図面の簡単な説明】
【００６０】
【図１】本発明の実施の形態が適用されるシステムの全体構成を示した図である。
【図２】本発明の実施の形態において媒体上に印刷されるコード画像を説明するための図である。
【図３】本発明の第１の実施の形態で用いるカルテ用紙の例を示した図である。
【図４】本発明の第１の実施の形態におけるペンデバイスの機能構成を示した図である。
【図５】本発明の第１の実施の形態におけるペンデバイスの動作を示したフローチャートである。
【図６】本発明の第１の実施の形態における端末装置の機能構成を示した図である。
【図７】本発明の第１の実施の形態における端末装置の動作を示したフローチャートである。
【図８】本発明の第１の実施の形態で端末装置により登録される参照情報テーブルの内容の一例を示した図である。
【図９】本発明の第２の実施の形態で用いるカルテ用紙及び読影会用リストの例を示した図である。
【図１０】本発明の第２の実施の形態におけるペンデバイスの動作を示したフローチャートである。
【図１１】本発明の第２の実施の形態における端末装置の動作を示したフローチャートである。
【図１２】本発明の第２の実施の形態で端末装置により登録される参照情報テーブルの内容の一例を示した図である。
【符号の説明】
【００６１】
１００，７００…端末装置、２００…文書リポジトリ、４００…画像形成装置、５００…印刷物、６００…ペンデバイス
【図１】
0004654906.tif 000002
【図２】
0004654906.tif 000003
【図３】
0004654906.tif 000004
【図４】
0004654906.tif 000005
【図５】
0004654906.tif 000006
【図６】
0004654906.tif 000007
【図７】
0004654906.tif 000008
【図８】
0004654906.tif 000009
【図９】
0004654906.tif 000010
【図１０】
0004654906.tif 000011
【図１１】
0004654906.tif 000012
【図１２】
0004654906.tif 000013